(57)【要約】【課題】レンズ駆動装置の小型化ならびにＺ軸方向の移動量の検出精度の向上を図ることを目的とする。【解決手段】レンズ駆動装置３０は、レンズを取り付けることが可能なレンズホルダ１３と、フォーカス用コイル１３ａ及びフォーカス用マグネット１４を有しレンズホルダ１３をＺ軸方向に移動させる第１駆動部３１と、レンズホルダ１３のＺ軸方向における移動量を検出するフォーカス位置検出部１３ｂと、を備えた可動部３２と、可動部３２を、Ｚ軸方向と交差するＸ軸方向及びＹ軸方向に移動させる第２駆動部３３と、を有している。そして、第１駆動部３１は、フォーカス位置検出部１３ｂ及びフォーカス用コイル１３ａと電気的に接続された、Ｚ軸方向への弾性を有する上側板ばね１２を備えている。【選択図】図１
2016180836.tif 000002
【特許請求の範囲】
【請求項１】
レンズを取り付けることが可能なレンズホルダと、前記レンズ又は前記レンズホルダの光軸方向における移動量を検出するフォーカス位置検出部と、第１のコイル及び第１の磁石を有し前記レンズホルダ及び前記フォーカス位置検出部を前記光軸方向に移動させる第１駆動部と、を備えた可動部と、
前記可動部を、前記光軸方向と交差する方向に移動させる第２駆動部と、
を有することを特徴とするレンズ駆動装置。
【請求項２】
前記第１駆動部は、前記フォーカス位置検出部及び前記第１のコイルと電気的に接続された、前記光軸方向への弾性を有する導体部を備えていることを特徴とする請求項１に記載のレンズ駆動装置。
【請求項３】
前記導体部は、少なくとも４つの電極を有した第１導体部と、少なくとも２つの電極を有した第２導体部と、を備え、
前記第１導体部と前記第２導体部とは、前記光軸方向に対し互いに離間した位置に配置され、
前記フォーカス位置検出部の電源端子及び出力端子と前記第１のコイルとは、前記第１導体部又は前記第２導体部に電気的に接続される、
ことを特徴とする請求項２に記載のレンズ駆動装置。
【請求項４】
前記第２駆動部は、ベースに対して前記可動部を支持し、前記光軸方向と交差する方向に弾性を有した支持部材を更に備え、
前記支持部材は、前記第１導体部及び前記第２導体部と電気的に接続される、
ことを特徴とする請求項３に記載のレンズ駆動装置。
【請求項５】
前記第２導体部の前記支持部材との接続部は、前記第１導体部が前記光軸方向に重ならないように配置されていることを特徴とする請求項４に記載のレンズ駆動装置。
【請求項６】
前記第１駆動部は、補助部材を更に備え、
前記フォーカス位置検出部は、前記第１駆動部による前記フォーカス位置検出部の位置変化による前記第１の磁石及び前記補助部材からの磁束の変化に基づいて、前記移動量を検出する、
ことを特徴とする請求項１に記載のレンズ駆動装置。
【請求項７】
前記補助部材は、磁石又はヨークであることを特徴とする請求項６に記載のレンズ駆動装置。
【請求項８】
前記補助部材は、前記光軸方向に対し、前記第１の磁石と近接した位置に配置されていることを特徴とする請求項６又は７に記載のレンズ駆動装置。
【発明の詳細な説明】
【技術分野】
【０００１】
本発明は、レンズを光軸方向や光軸方向と交差する方向に駆動するレンズ駆動装置に関する。
【背景技術】
【０００２】
携帯電話等の小型端末にも内蔵されているカメラモジュールは、コイルと永久磁石からなる駆動機構によりレンズの光軸方向や光軸方向と交差する方向にレンズを駆動してオートフォーカス機能や手振れ補正機能等を実現している。
【０００３】
例えば、特許文献１には、３軸閉ループフィードバック制御ユニットを有する電磁式レンズ駆動装置が記載されている。この文献には、不動の光学防振ユニット１４と、光学防振ユニット１４に対してＸ軸−Ｙ軸方向に変位可能な可動部フレーム１２に設けられた駆動磁石１３２、１３３と、で光学防振メカニズム（即ち、手振れ補正機能）を実現している。また、可動部フレーム１２と、Ｚ軸位置検出磁石１１２を有し可動部フレーム１２に対してＺ軸方向に変位可能なレンズ搭載台１１と、前記した駆動磁石１３２、１３３と駆動コイル１３１とからなる電磁駆動ユニット１３と、第１の板ばね１８１と第２の板ばね１８２とサスペンションワイヤ１８３とからなる電気的結合構造１８と、第１の板ばねに結合される第２の回路基板１９上に設置されるホール素子１６と、でオートフォーカス機能を実現している。
【先行技術文献】
【特許文献】
【０００４】
【特許文献１】特開２０１４−２１９６７５号公報
【発明の概要】
【発明が解決しようとする課題】
【０００５】
特許文献１では、Ｚ軸方向には移動しない第２の回路基板１９上にホール素子１６を設置し、Ｚ軸方向に移動するレンズ搭載台１１にＺ軸位置検出磁石１１２を設置することで、可動フレーム（レンズ）のＺ軸方向の移動量を検出している。この場合、Ｚ軸位置検出磁石１１２とＺ軸方向への駆動のための駆動磁石１３２、１３３との間に磁気干渉が発生する。
【０００６】
磁気干渉が発生すると、駆動用磁石１３２、１３３からの磁界がホール素子１６にとってノイズ成分となり、Ｚ軸方向の移動量の検出精度が低下する可能性がある。ここで、上述した磁気干渉の状態が一定であるならば、例えば差動信号を取ることでノイズとなる成分をキャンセルすることが考えられる。しかし、オートフォーカス機能が動作すると、駆動用磁石１３２、１３３とＺ軸位置検出磁石１１２との位置関係が変化し、それに伴い上述した磁気干渉の状態も変化するため、上述の方法では十分な検出精度を得ることができない。
【０００７】
また、磁気干渉が発生しない程度までＺ軸位置検出磁石１１２と駆動磁石１３２、１３３とを離すと、モジュールの小型化が困難となる。
【０００８】
そこで、本発明は、上述した問題に鑑み、例えば、レンズ駆動装置の小型化ならびにＺ軸方向の移動量の検出精度の向上を図ることを目的とする。
【課題を解決するための手段】
【０００９】
上記課題を解決するために、請求項１に記載された発明は、レンズを取り付けることが可能なレンズホルダと、前記レンズ又は前記レンズホルダの光軸方向における移動量を検出するフォーカス位置検出部と、第１のコイル及び第１の磁石を有し前記レンズホルダ及び前記フォーカス位置検出部を前記光軸方向に移動させる第１駆動部と、を備えた可動部と、前記可動部を、前記光軸方向と交差する方向に移動させる第２駆動部と、を有し、前記第１駆動部は、前記フォーカス位置検出部及び前記第１のコイルと電気的に接続された、前記光軸方向への弾性を有する導体部を備えている、ことを特徴とするレンズ駆動装置である。
【図面の簡単な説明】
【００１０】
【図１】本発明の一実施例にかかるレンズ駆動装置を示す分解斜視図である。
【図２】図１に示されたレンズホルダの側面図である。
【図３】図１に示されたムービングベースとレンズホルダとをＺ軸方向一方側から他方側に向かって見た斜視図である。
【図４】図３のうちムービングベースのみを示した図である。
【図５】図１及び図３に示されたレンズホルダ（フォーカス位置検出部）とフォーカス用マグネット及び補助磁石との関係を簡略化して示した図である。
【図６】フォーカスストローク量（レンズホルダの移動量）と検出素子（フォーカス位置検出部）の出力との関係のグラフである。
【図７】フォーカス位置検出部の検出結果を用いてフィードバック制御を行った場合のゲインと周波数との関係のグラフである。
【図８】上側板ばね、下側板ばねとレンズホルダとの関係を示した斜視図である。
【図９】図８とは別の角度から見た斜視図である。
【図１０】上側板ばね、レンズホルダ、サスペンションワイヤ、下側板ばね、ベースを示した側面図である。
【図１１】上側板ばね、レンズホルダ、ムービングベース、サスペンションワイヤ、ベースを示した側面図である
【図１２】サスペンションワイヤと第１板ばね及び第２板ばねとの接続部分の拡大図である。
【発明を実施するための形態】
【００１１】
以下、本発明の一実施形態にかかるレンズ駆動装置を説明する。本発明の一実施形態にかかるレンズ駆動装置は、レンズを取り付けることが可能なレンズホルダと、レンズ又はレンズホルダの光軸方向における移動量を検出するフォーカス位置検出部と、第１のコイル及び第１の磁石を有しレンズホルダ及びフォーカス位置検出部を光軸方向に移動させる第１駆動部と、を備えた可動部と、可動部を、光軸方向と交差する方向に移動させる第２駆動部と、を有している。このようにすることにより、第１駆動部によってレンズやレンズホルダとともに駆動される側にフォーカス位置検出部を配置し、駆動側にフォーカス用マグネットと補助磁石を配置することが可能になり、装置の小型化ならびにＺ軸方向の移動量の検出精度の向上に寄与することができる。
【００１２】
また、フォーカス位置検出部を備えていることで、レンズホルダの位置が直接検出できるためにオートフォーカスによるピント合わせの時間短縮が可能となる。
【００１３】
また、第１駆動部は、フォーカス位置検出部及び第１のコイルと電気的に接続された、光軸方向への弾性を有する導体部を備えている。このようにすることにより、導体部を介して信号等の伝送を行うことができる。
【００１４】
また、導体部は、光軸方向に対し互いに離間した位置に配置された、少なくとも４つの電極を有した第１導体部と、少なくとも２つの電極を有した第２導体部と、を備え、フォーカス位置検出部の電源端子及び出力端子と第１のコイルとは、第１導体部又は第２導体部に電気的に接続されていてもよい。このようにすることにより、例えば導体部を矩形状に配置して四隅を利用するなど、隅部を利用して信号を伝送でき、装置の小型化に寄与する。また、導体部が光軸方向に向かって二重構造なるので、レンズ駆動装置を光軸方向から見た際の投影面積を小さくすることができ、装置を小型化することができる。
【００１５】
また、第２駆動部は、ベースに対して可動部を支持し、光軸方向と交差する方向に弾性を有した支持部材を更に備え、支持部材は、第１導体部及び第２導体部と電気的に接続されていてもよい。このようにすることにより、第２駆動部を利用して第１導体部及び第２導体部と例えばベースやベース外に配置される電子回路等との間の信号の伝送をすることができる。
【００１６】
また、第２導体部の支持部材との接続部は、第１導体部が光軸方向に重ならないように配置されていてもよい。このようにすることにより、レンズ駆動装置を製造する際に、第２導体部と支持部材とを接続するはんだ付け作業が行い易くなる。
【００１７】
また、第１駆動部は、光軸方向に対し、第１の磁石と近接した位置に配置された補助部材を有している。そして、フォーカス位置検出部は、第１駆動部によるフォーカス位置検出部の位置変化による第１の磁石及び補助部材からの磁束の変化に基づいて、移動量を検出してもよい。このようにすることにより、例えば磁石又はヨークなどで構成された補助部材によって、磁束を光軸方向に向けることができるので、フォーカス位置検出部が第１の磁石から離れてもレンズ等の光軸方向への移動に対するフォーカス位置検出部の出力の直線性を良化させることができる。さらに、フォーカス位置検出部から出力される信号のＳ／Ｎを改善させることができる。また、第１駆動部によってレンズやレンズホルダとともに駆動される側にフォーカス位置検出部が配置されるので、装置の小型化ならびにＺ軸方向の移動量の検出精度の向上を図ることができる。
【００１８】
また、補助部材は、光軸方向に対し、第１の磁石と近接した位置に配置されているので、オートフォーカス機能が動作しても、第１の磁石との位置関係は変化せず、磁気干渉の状態も変化しないため、十分な検出精度を得ることができる。
【実施例】
【００１９】
本発明の一実施例にかかるレンズ駆動装置を図１乃至図１２を参照して説明する。図１に、本発明の一実施例にかかるレンズ駆動装置３０を示す。レンズ駆動装置３０は、カバー１１と、上側板ばね１２と、レンズホルダ１３と、フォーカス用マグネット１４と、ムービングベース１５と、サスペンションワイヤ１６と、振れ補正用コイル１７と、下側板ばね１８と、振れ補正用マグネット１９と、ベース２０と、を有している。
【００２０】
また、図１のＺ軸方向を光軸方向、Ｚ軸方向と直交するＸ軸方向およびＹ軸方向を光軸方向と交差する方向とする。また、Ｘ軸方向とＹ軸方向とは互いに直交する。したがって、Ｘ軸方向、Ｙ軸方向、Ｚ軸方向は互いに直交する。
【００２１】
カバー１１は、図示しないレンズに光を入射させるための孔１１ａが形成された箱型に形成されている。また、カバー１１は、孔１１ａが形成された面と対向する側が解放されており、上述した各部品を内部に収容することができる。
【００２２】
上側板ばね１２は、図８等に示すように、第１板ばね１２ａと第２板ばね１２ｂとから構成されている。また、上側板ばね１２は、弾性を有した導電部材で形成され、レンズホルダ１３とムービングベース１５とのＺ軸方向一方側で接続される。すると、上側板ばね１２はＺ軸方向への弾性を有することとなり、下側板ばね１８とともにレンズホルダ１３のＺ軸方向への移動を可能とする。
【００２３】
レンズホルダ１３は、内部に不図示のレンズを搭載する。したがってレンズホルダ１３は、Ｚ軸方向に沿って貫通するレンズ装着用の貫通孔が形成されている。
【００２４】
また、レンズホルダ１３の外周縁には、第１のコイルとしてのフォーカス用コイル１３ａが巻設されている。更に、レンズホルダ１３の外周縁には、フォーカス位置検出部１３ｂが設けられている。フォーカス位置検出部１３ｂは、例えばホール素子で構成され、ＦＰＣ（フレキシブル基板）１３ｃに実装されている。
【００２５】
第１の磁石としてのフォーカス用マグネット１４は、ムービングベース１５の内周面にフォーカス用コイル１３ａと相対するように複数配置されている。図１の例ではフォーカス用マグネット１４は４つ（１つは不図示）であるが、４つに限らないことは言うまでもない。
【００２６】
ムービングベース１５は、中央に収容空間を有する中空構造となっており、当該収容空間にレンズホルダ１３を収容する。ムービングベース１５に収容されたレンズホルダ１３は、上側板ばね１２、フォーカス用コイル１３ａ、フォーカス用マグネット１４及び下側板ばね１８によってＺ軸方向に沿ってムービングベース１５に対して移動される。
【００２７】
即ち、上側板ばね１２と、フォーカス用コイル１３ａと、フォーカス用マグネット１４と、下側板ばね１８とで、第１駆動部３１を構成する。また、レンズホルダ１３と、フォーカス位置検出部１３ｂと、第１駆動部３１とで、可動部３２を構成する。
【００２８】
サスペンションワイヤ１６は、弾性を有し、本実施例では８本配置されるとともに、それぞれ一方の端部が上側板ばね１２に接続されて固定され、他方の端部がベース２０に固定されている。サスペンションワイヤ１６は、上側板ばね１２とベース２０に設けられた不図示の電子回路基板等とを電気的に接続する。即ち、サスペンションワイヤ１６は、ベース２０に対して可動部３２を支持し、Ｚ軸方向と交差するＸ方向及びＹ方向に弾性を有する。
【００２９】
振れ補正用コイル１７は、ベース２０に複数配置されている。
【００３０】
下側板ばね１８は、弾性を有した導電部材で形成され、レンズホルダ１３とムービングベース１５とのＺ軸方向他方側に接続される。すると、下側板ばね１８はＺ軸方向への弾性を有することとなり、上側板ばね１２とともにレンズホルダ１３のＺ軸方向への移動を可能とする。
【００３１】
振れ補正用マグネット１９は、ムービングベース１５に振れ補正用コイル１７と相対するように複数配置されている。なお、フォーカス用マグネット１４が振れ補正用マグネット１９を兼ねる構成としてもよい。
【００３２】
なお、図１の構成では、振れ補正用マグネット１９をムービングベース１５に配置していたが、振れ補正用マグネット１９をベース２０に配置して、振れ補正用コイル１７をムービングベース１５に配置する構成でもよい。
【００３３】
ベース２０は、振れ補正用マグネット１９や不図示の電子回路基板等が配置されている。ムービングベース１５は、サスペンションワイヤ１６、振れ補正用コイル１７、振れ補正用マグネット１９によってＸ軸及びＹ軸方向に沿ってベース２０に対して移動される。即ち、サスペンションワイヤ１６と、振れ補正用コイル１７と、振れ補正用マグネット１９と、は可動部３２を光軸方向と交差する方向に移動させる第２駆動部３３を構成する。
【００３４】
次に、フォーカス位置検出部１３ｂの取付および作用について、図２乃至図６を参照して説明する。図２は、レンズホルダ１３の側面図である。上述したように、フォーカス位置検出部１３ｂは、ＦＰＣ１３ｃに実装されている。フォーカス位置検出部１３ｂは、Ｚ軸方向でフォーカス用コイル１３ａと並ぶように配置することで、フォーカス用コイル１３ａと物理的な干渉をしないようにして、フォーカス用マグネット１４の磁束の変化を検出することができる。したがって、フォーカス位置検出部１３ｂで検出した磁束の変化に基づいてレンズホルダ１３の位置が検出できる。即ち、フォーカス位置検出部１３ｂは、フォーカス用マグネット１４からの磁束の変化に基づいて、レンズホルダ１３のＺ軸方向における移動量を検出することができる。
【００３５】
ＦＰＣ１３ｃには、上述したように表面にフォーカス位置検出部１３ｂが実装されている。また、ＦＰＣ１３ｃの裏面には、フォーカス位置検出部１３ｂの電源端子Ｖｃ、接地端子ＧＮＤ、出力端子ＯＵＴＰ、出力端子ＯＵＴＮの４つの端子と電気的に接続されたランド又はパッド等が設けられている。このランド又はパッド等は、ＦＰＣ１３ｃのＺ軸方向の両端部に２つずつ設けられ、後述する導電性平板２１がそれぞれ接続される。
【００３６】
また、ＦＰＣ１３ｃは、レンズホルダ１３とフォーカス用コイル１３ａとの間に配置して、フォーカス用コイル１３ａとフォーカス用マグネット１４の間は何も配置しないようにしている。このようにすることで、電磁相互作用を最大限利用することができる。
【００３７】
図３は、ムービングベース１５に補助部材としての補助磁石１５ａを設けた場合の例を示した図である。図３は、ムービングベース１５とレンズホルダ１３とをＺ軸方向一方側から他方側に向かって見た斜視図である。図４は、図３のうちムービングベース１５のみを示した図である。
【００３８】
図３及び図４に示したように、補助磁石１５ａは、ムービングベース１５のＺ軸方向一方側端部のフォーカス用マグネット１４と近接した位置（Ｚ軸方向に沿って、フォーカス用マグネット１４と一直線上に並ぶ位置）に設けられている。つまり、ムービングベース１５にフォーカス用マグネット１４と補助磁石１５ａを配置し、レンズホルダ１３にフォーカス位置検出部１３ｂを配置することで、オートフォーカス機能が動作しても、フォーカス用マグネット１４と補助磁石１５ａとの位置関係は変化せず、磁気干渉の状態（検出素子におけるノイズ成分）も変化しないため、十分な検出精度を得ることができる。また、ムービングベース１５に補助磁石１５ａを設けることで、フォーカス用マグネット１４の磁束をＺ軸方向に向けることができる。詳細を、図５を参照して説明する。
【００３９】
図５は、レンズホルダ１３（フォーカス位置検出部１３ｂ）とフォーカス用マグネット１４及び補助磁石１５ａとの関係を簡略化して示した図である。図５（ａ）は、レンズホルダ１３が最下端（Ｚ軸方向他方側端部）にある場合、図５（ｂ）は、レンズホルダ１３が最上端（Ｚ軸方向一方側端部）にある場合、図５（ｃ）は、補助磁石１５ａが無くレンズホルダ１３が最上端（Ｚ軸方向一方側端部）にある場合、をそれぞれ示している。
【００４０】
図５（ｃ）のように、補助磁石１５ａが無いとフォーカス用マグネット１４から出る磁束は破線で示すようにフォーカス用マグネット１４の周囲のみに発生する。したがって、レンズホルダ１３がフォーカス用マグネット１４から離れると、フォーカス位置検出部１３ｂがフォーカス用マグネット１４から離れるため、磁束の変化の検出感度が低下する。
【００４１】
そこで、図５（ａ）のように補助磁石１５ａを設けると、フォーカス用マグネット１４から出る磁束が補助磁石１５ａに向かって伸びる（破線部分）。したがって、図５（ｂ）のようにレンズホルダ１３がフォーカス用マグネット１４から離れた場合でもフォーカス位置検出部１３ｂは磁束の変化の検出感度が低下しない。
【００４２】
図６にフォーカスストローク量（レンズホルダ１３の移動量）と検出素子（フォーカス位置検出部１３ｂ）の出力との関係のグラフを示す。図６の縦軸は検出素子の出力（検出磁束密度［Ｔ］）、横軸はフォーカスストローク量［ｍｍ］をそれぞれ示している。また、実線は補助磁石１５ａがある場合、破線は補助磁石１５ａが無い場合である。
【００４３】
図６に示したように、補助磁石１５ａが無い場合は０．３ｍｍ程度で傾きが小さくなっている。これは、０．３ｍｍ以上では磁束の変化を検出することが困難になっていることを示している。一方、補助磁石１５ａがある場合は０．５ｍｍ程度で傾きが小さくなっている。つまり、補助磁石１５ａを設けた方がフォーカス位置検出部１３ｂの出力の直線性が良化し、より大きなストローク量まで磁束の変化を検出することができる。即ち、フォーカス位置検出部１３ｂはフォーカス用マグネット１４及び補助磁石１５ａからの磁束の変化に基づいて移動量を検出することができる。
【００４４】
図７にフォーカス位置検出部１３ｂの検出結果を用いてフィードバック制御を行った場合のゲインと周波数との関係のグラフを示す。図７の縦軸はゲイン［ｄＢ］、横軸は周波数［Ｈｚ］をそれぞれ示している。また、実線は補助磁石１５ａがある場合、破線は補助磁石１５ａが無い場合である。
【００４５】
図７に示したように、補助磁石１５ａが無い場合はゲインが小さい。一方、補助磁石１５ａがある場合はゲインが大きい。したがって、Ｓ／Ｎが改善でき、フィードバック制御をする際の帯域（サーボ帯域）を高帯域まで伸ばすことが可能となる。
【００４６】
なお、補助部材としては補助磁石１５ａに限らずヨーク（継鉄）を配置してもよい。要するに、フォーカス位置検出部１３ｂがフォーカス用マグネット１４から離れた場合でも十分な磁束を検出することができるように、補助部材は磁性体であればよい。
【００４７】
次に、上側板ばね１２及び下側板ばね１８とレンズホルダ１３（フォーカス位置検出部１３ｂ）との接続について、図８乃至図１１を参照して説明する。
【００４８】
上側板ばね１２は、図８や図９等に示したように、第１導体部としての第１板ばね１２ａと、第２導体部としての第２板ばね１２ｂと、から構成されている。そして、第１板ばね１２ａと第２板ばね１２ｂとは、図１０や図１１等に示したように、互いに離間してＺ軸方向に重ねられるように配置された二重構造となっている。即ち、第１導体部と第２導体部とは、レンズホルダ１３のＺ軸方向の一方側または他方側の同じ側に配置されている。
【００４９】
第１板ばね１２ａは、板ばね１２ａ１と、板ばね１２ａ２と、板ばね１２ａ３と、板ばね１２ａ４と、から構成されている。板ばね１２ａ１は、略Ｖ字状に折り曲げられた形状に形成され、一方の端部が後述する導電性平板２１１と電気的に接続されるとともに、レンズホルダ１３と固定されている。また、他方の端部がムービングベース１５に固定されている。また、板ばね１２ａ１は、折り曲げ部分と他方の端部との間にサスペンションワイヤ１６１が電気的に接続される電極としての接続部１２ａ１１が設けられている。
【００５０】
板ばね１２ａ２は、略Ｖ字状に折り曲げられた形状に形成され、一方の端部がフォーカス用コイル１３ａの一方のコイル端１３ｄ１と電気的に接続されるとともに、レンズホルダ１３と固定されている。また、他方の端部がムービングベース１５に固定されている。また、板ばね１２ａ２は、折り曲げ部分と他方の端部との間にサスペンションワイヤ１６７が電気的に接続される電極としての接続部１２ａ２１が設けられている。
【００５１】
板ばね１２ａ３は、略Ｖ字状に折り曲げられた形状に形成され、一方の端部が後述する導電性平板２１２と電気的に接続されるとともに、レンズホルダ１３と固定されている。また、他方の端部がムービングベース１５に固定されている。また、板ばね１２ａ３は、折り曲げ部分と他方の端部との間にサスペンションワイヤ１６５が電気的に接続される電極としての接続部１２ａ３１が設けられている。
【００５２】
板ばね１２ａ４は、略Ｖ字状に折り曲げられた形状に形成され、一方の端部がフォーカス用コイル１３ａの他方のコイル端１３ｄ２と電気的に接続されるとともに、レンズホルダ１３と固定されている。また、他方の端部がムービングベース１５に固定されている。また、板ばね１２ａ４は、折り曲げ部分と他方の端部との間にサスペンションワイヤ１６３が電気的に接続される電極としての接続部１２ａ４１が設けられている。
【００５３】
板ばね１２ａ１と板ばね１２ａ２と板ばね１２ａ３と板ばね１２ａ４とは、互いに接触しないようＸ軸及びＹ軸方向に間隔を空けて配置されている。つまり、板ばね１２ａ１と板ばね１２ａ２と板ばね１２ａ３と板ばね１２ａ４とは、互いに絶縁されている。また、板ばね１２ａ１と板ばね１２ａ２と板ばね１２ａ３と板ばね１２ａ４とは、レンズホルダ１３に形成されたレンズ装着用貫通孔を塞がないような略矩形状となるように配置されている。
【００５４】
第２板ばね１２ｂは、板ばね１２ｂ１と、板ばね１２ｂ２と、から構成されている。板ばね１２ｂ１は、略Ｕ字状に折り曲げられた形状に形成され、両端部と中央部がムービングベース１５に固定されている。また、板ばね１２ｂ１は、一方の端部と中央部との間に後述するサスペンションワイヤ１６２が電気的に接続される電極としての接続部１２ｂ１１が設けられている。また、板ばね１２ｂ１は、他方の端部と中央部との間に後述するサスペンションワイヤ１６８が電気的に接続される電極としての接続部１２ｂ１２が設けられている。さらに、板ばね１２ｂ１は、中央部に後述する板ばね１８１と電気的に接続するための導電材２２１が電気的に接続されている。
【００５５】
板ばね１２ｂ２は、略Ｕ字状に折り曲げられた形状に形成され、両端部と中央部がムービングベース１５に固定されている。また、板ばね１２ｂ２は、一方の端部と中央部との間に後述するサスペンションワイヤ１６６が電気的に接続される電極としての接続部１２ｂ２１が設けられている。また、板ばね１２ｂ２は、他方の端部と中央部との間に後述するサスペンションワイヤ１６４が電気的に接続される電極としての接続部１２ｂ２２が設けられている。さらに、板ばね１２ｂ２は、一方の端部に後述する板ばね１８２と電気的に接続するための導電材２２２が電気的に接続されている。
【００５６】
板ばね１２ｂ１と板ばね１２ｂ２とは、互いに接触しないよう間隔を空けて配置されている。つまり、板ばね１２ｂ１と板ばね１２ｂ２とは、互いに絶縁されている。また、板ばね１２ｂ１と板ばね１２ｂ２とは、向かい合わせに配置されるとともに、レンズホルダ１３に形成されたレンズ装着用貫通孔を塞がないような略矩形状となるように配置されている。
【００５７】
なお、図８等では、第１板バネ１２ａが４つに分割され、第２板ばね１２ｂが２つに分割されていたが、逆に第１板バネ１２ａが２つに分割され、第２板ばね１２ｂが４つに分割される構成であってもよい。その場合は、導電性平板２１や導電材２２等の接続等も適宜変更すればよい。
【００５８】
下側板ばね１８は、図８や図９等に示したように、板ばね１８１と、板ばね１８２と、板ばね１８３と、板ばね１８４と、から構成されている。板ばね１８１は、略円弧上に折り曲げられた形状に形成され、一方の端部が後述する導電性平板２１４と電気的に接続されるとともに、レンズホルダ１３と固定されている。また、他方の端部がムービングベース１５に固定されている。また、板ばね１８１は、他方の端部に板ばね１２ｂ１と電気的に接続するための導電材２２１が電気的に接続されている。
【００５９】
板ばね１８２は、略円弧上に折り曲げられた形状に形成され、一方の端部が後述する導電性平板２１３と電気的に接続されるとともに、レンズホルダ１３と固定されている。また、他方の端部がムービングベース１５に固定されている。また、板ばね１８２は、他方の端部に板ばね１２ｂ２と電気的に接続するための導電材２２２が電気的に接続されている。
【００６０】
板ばね１８３は、略円弧上に折り曲げられた形状に形成され、一方の端部がレンズホルダ１３に固定され、他方の端部がムービングベース１５に固定されている。
【００６１】
板ばね１８４は、略円弧上に折り曲げられた形状に形成され、一方の端部がレンズホルダ１３に固定され、他方の端部がムービングベース１５に固定されている。
【００６２】
導電性平板２１は、導電性平板２１１と、導電性平板２１２と、導電性平板２１３と、導電性平板２１４と、から構成されている。導電性平板２１は、導電部材で平板状に形成されている。なお、導電性平板２１は、上側板ばね１２や下側板ばね１８などのような弾性を有すると、レンズ駆動装置３０が衝撃、振動を受けた際の断線等の問題が発生しにくくなる。
【００６３】
導電性平板２１１は、一方の端部がＦＰＣ１３ｃに設けられたフォーカス位置検出部１３ｂの電源端子Ｖｃと電気的に接続されたランドやパッド等と固定され電気的に接続されている。また、他方の端部が板ばね１２ａ１の一方の端部と固定され電気的に接続されている。
【００６４】
導電性平板２１２は、一方の端部がＦＰＣ１３ｃに設けられたフォーカス位置検出部１３ｂの出力端子ＯＵＴＰと電気的に接続されたランドやパッド等と固定され電気的に接続されている。また、他方の端部が板ばね１２ａ３の一方の端部と固定され電気的に接続されている。
【００６５】
導電性平板２１３は、一方の端部がＦＰＣ１３ｃに設けられたフォーカス位置検出部１３ｂの出力端子ＯＵＴＮと電気的に接続されたランドやパッド等と固定され電気的に接続されている。また、他方の端部が板ばね１８２の一方の端部と固定され電気的に接続されている。
【００６６】
導電性平板２１４は、一方の端部がＦＰＣ１３ｃに設けられたフォーカス位置検出部１３ｂの接地端子ＧＮＤと電気的に接続されたランドやパッド等と固定され電気的に接続されている。また、他方の端部が板ばね１８１の一方の端部と固定され電気的に接続されている。
【００６７】
導電材２２は、導電材２２１と、導電材２２２と、から構成されている。導電材２２は、導電部材で細線状（棒状）に形成されている。導電材２２１は、一方の端部が板ばね１２ｂ１に固定され電気的に接続されている。また、他方の端部が板ばね１８１に固定され電気的に接続されている。導電材２２２は、一方の端部が板ばね１２ｂ２に固定され電気的に接続されている。また、他方の端部が板ばね１８２に固定され電気的に接続されている。
【００６８】
上述した上側板ばね１２、下側板ばね１８、導電性平板２１、導電材２２により、フォーカス位置検出部１３ｂの各端子の信号やフォーカス用コイル１３ａに供給される電流等をサスペンションワイヤ１６で伝送することができる。フォーカス位置検出部１３ｂの電源端子Ｖｃは、導電性平板２１１、板ばね１２ａ１、を経由してサスペンションワイヤ１６１と電気的に接続される。フォーカス位置検出部１３ｂの出力端子ＯＵＴＰは、導電性平板２１２、板ばね１２ａ３、を経由してサスペンションワイヤ１６５と電気的に接続される。
【００６９】
フォーカス位置検出部１３ｂの出力端子ＯＵＴＮは、導電性平板２１３、板ばね１８２、導電材２２２、板ばね１２ｂ２を経由してサスペンションワイヤ１６４、１６６と電気的に接続される。フォーカス位置検出部１３ｂの接地端子ＧＮＤは、導電性平板２１４、板ばね１８１、導電材２２１、板ばね１２ｂ１を経由してサスペンションワイヤ１６２、１６８と電気的に接続される。
【００７０】
フォーカス用コイル１３ａの一方のコイル端１３ｄ１は、板ばね１２ａ２を経由してサスペンションワイヤ１６７と電気的に接続される。フォーカス用コイル１３ａの他方のコイル端１３ｄ２は、板ばね１２ａ４を経由してサスペンションワイヤ１６３と電気的に接続される。
【００７１】
このように、８本のサスペンションワイヤ１６のうち異なる電気信号等が伝送される６本は互いに電気的に独立させることができる。
【００７２】
サスペンションワイヤ１６は、ベース２０で不図示の電子回路基板に電気的に接続されているので、電子回路基板とフォーカス位置検出部１３ｂ及びフォーカス用コイル１３ａとを電気的に接続することができる。
【００７３】
また、本実施例の場合、フォーカス位置検出部１３ｂの４つの端子と、フォーカス用コイル１３ａの両端部と、の計６本の信号線を、サスペンションワイヤ１６を介して伝送する必要がある。但し、装置の小型化を考慮すると、Ｚ軸方向から見て矩形（正方形）の四隅に配置することが好ましく、その場合、サスペンションワイヤ１６は四隅に２本ずつ計８本とすることが好ましい。サスペンションワイヤ１６を四隅に２本ずつ配置する場合、２本のサスペンションワイヤは四隅の対角線を挟むように配置することが好ましい。
【００７４】
なお、本実施例では、フォーカス位置検出部１３ｂの出力端子ＯＵＴＮと接地端子ＧＮＤが各々２本のサスペンションワイヤ１６に接続されているが、フォーカス位置検出部１３ｂの出力端子ＯＵＴＰと電源端子Ｖｃを各々２本のサスペンションワイヤ１６に接続する構成であってもよい。本実施例の場合、第２板ばね１２ｂは２つの板ばね（板ばね１２ｂ１、１２ｂ２）で構成され、それぞれの板ばねが矩形の２つの頂点を含むような形状となっていることから、各々２本のサスペンションワイヤ１６と接続される端子が発生するが、第１板ばね１２ａのように４つの板ばねで構成すれば、１つの端子について１本のサスペンションワイヤ１６が対応する構成とすることができる。
【００７５】
また、上述した構成により、レンズホルダ１３とムービングベース１５とは上側板ばね１２と下側板ばね１８とで弾性的に結合されることで、レンズホルダ１３はムービングベース１５に対してＺ軸方向に移動可能となっている。
【００７６】
また、板ばね１２ａ１、板ばね１２ａ２、板ばね１２ａ３、板ばね１２ａ４、板ばね１８１、板ばね１８２とレンズホルダ１３との接続は、導電性平板２１やコイル端のみだけでなく、その近傍位置も固定するようにしてもよい。つまり、上側板ばね１２は、レンズホルダ１３と直接的または間接的に固定がなされていればよい。
【００７７】
図１０は、上側板ばね１２（第１板ばね１２ａ、第２板ばね１２ｂ）、レンズホルダ１３、サスペンションワイヤ１６、下側板ばね１８、ベース２０を示した側面図である。図１１は、上側板ばね１２（第１板ばね１２ａ、第２板ばね１２ｂ）、レンズホルダ１３、ムービングベース１５、サスペンションワイヤ１６、ベース２０を示した側面図である。
【００７８】
サスペンションワイヤ１６は、上述したように、上側板ばね１２とベース２０とに固定されている。上側板ばね１２は、レンズホルダ１３とムービングベース１５とに固定されている。したがって、サスペンションワイヤ１６が実質的にレンズホルダ１３とムービングベース１５とをベース２０のＺ軸方向に沿って吊設することにより、ムービングベース１５は、ベース２０に対してＸ軸方向及びＹ軸方向上の平面を限定的に水平変位することができる。
【００７９】
次に、上述したサスペンションワイヤ１６を第１板ばね１２ａや第２板ばね１２ｂに固定する際の構成について図１２を参照して説明する。
【００８０】
図１２は、サスペンションワイヤ１６と第１板ばね１２ａ及び第２板ばね１２ｂとの接続部分（例えば上述した接続部１２ａ２１や接続部１２ｂ１２等）の拡大図である。図１２に示したように、サスペンションワイヤ１６と第２板ばね１２ｂとの接続部分は、Ｚ軸方向で第１板ばね１２ａが重ならないような位置に設けられている。このようにすることにより、はんだごて１００等によるはんだ付けでサスペンションワイヤ１６と第２板ばね１２ｂとを接続する際の作業性を向上させることができる。
【００８１】
本実施例によれば、レンズ駆動装置３０は、レンズを取り付けることが可能なレンズホルダ１３と、レンズホルダ１３のＺ軸方向における移動量を検出するフォーカス位置検出部１３ｂと、フォーカス用コイル１３ａ及びフォーカス用マグネット１４を有しレンズホルダ１３及びフォーカス位置検出部１３ｂをＺ軸方向に移動させる第１駆動部３１と、を備えた可動部３２と、可動部３２を、Ｚ軸方向と交差するＸ軸方向及びＹ軸方向に移動させる第２駆動部３３と、を有している。このようにすることにより、第１駆動部３１によってレンズやレンズホルダ１３とともに駆動される側にフォーカス位置検出部１３ｂを配置し、駆動側（第１駆動部３１）にフォーカス用マグネット１４と補助磁石１５ａを配置することが可能になり、磁気干渉を発生させずに装置の小型化に寄与することができる。
【００８２】
また、フォーカス位置検出部１３ｂを備えていることで、レンズホルダ１３の位置が直接検出できるためにオートフォーカスによるピント合わせの時間短縮が可能となる。
【００８３】
また、Ｚ軸方向に対し、ムービングベース１５のフォーカス用マグネット１４と近接した位置に配置された補助磁石１５ａを備えることで、磁束をＺ軸方向に向けることができるので、フォーカス位置検出部１３ｂがフォーカス用マグネット１４から離れてもレンズ等の光軸方向への移動に対するフォーカス位置検出部１３ｂの出力の直線性を良化させることができる。さらに、フォーカス位置検出部１３ｂから出力される信号のＳ／Ｎを改善させることができる。
【００８４】
また、上側板ばね１２は、Ｚ軸方向に対し互いに離間した位置に配置された、４つの接続部１２ａ１１、１２ａ２１、１２ａ３１、１２ａ４１を有した第１板ばね１２ａと、４つの接続部１２ｂ１１、１２ｂ１２、１２ｂ２１、１２ｂ２２を有した第２板ばね１２ｂと、を備える。そして、フォーカス位置検出部１３ｂの電源端子Ｖｃ、接地端子ＧＮＤ及び出力端子ＯＵＴＰ、ＯＵＴＮと、フォーカス用コイル１３ａと、は導電性平板２１や導電材２２及び下側板ばね１８を介して第１板ばね１２ａ又は第２板ばね１２ｂに電気的に接続されている。このようにすることにより、例えば上側板ばね１２を矩形状に配置して四隅を利用するなど、隅部を利用して信号を伝送でき、装置の小型化に寄与する。また、上側板ばね１２はＺ軸方向に向かって二重構造なるので、レンズ駆動装置３０をＺ軸方向から見た際の投影面積を小さくすることができ、装置を小型化することができる。
【００８５】
また、導電性平板２１で上側板ばね１２や下側板ばね１８とＦＰＣ１３ｃとを接続することで、レンズ駆動装置３０が衝撃、振動を受けた際の断線等の問題が発生しにくくなる。
【００８６】
また、導電材２２によってサスペンションワイヤ１６を下側板ばね１８と直接接続せず、第２板バネ１２ｂと接続するようにしたことで、サスペンションワイヤ１６の支点をレンズホルダ１３の一方側に設けることができる。
【００８７】
また、第２駆動部３３は、ベース２０に対して可動部３２を支持し、Ｚ軸方向と交差する方向に弾性を有したサスペンションワイヤ１６を更に有し、サスペンションワイヤ１６は、第１板ばね１２ａ及び第２板ばね１２ｂと電気的に接続されている。このようにすることにより、第２駆動部３３を利用して第１板ばね１２ａ及び第２板ばね１２ｂと例えばベース２０やベース２０外に配置される電子回路等との間の信号の伝送をすることができる。
【００８８】
また、第２板ばね１２ｂのサスペンションワイヤ１６との接続部は、第１板ばね１２ａがＺ軸方向に重ならないように配置されていている。このようにすることにより、レンズ駆動装置３０を製造する際に、第２板ばね１２ｂとサスペンションワイヤ１６とを接続するはんだ付け作業が行い易くなる。
【００８９】
なお、本発明は上記実施例に限定されるものではない。即ち、当業者は、従来公知の知見に従い、本発明の骨子を逸脱しない範囲で種々変形して実施することができる。かかる変形によってもなお本発明のレンズ駆動装置の構成を具備する限り、勿論、本発明の範疇に含まれるものである。
【符号の説明】
【００９０】
１２              上側板ばね（導体部）
１２ａ            第１板ばね（第１導体部）
１２ａ１１        接続部（電極）
１２ａ２１        接続部（電極）
１２ａ３１        接続部（電極）
１２ａ４１        接続部（電極）
１２ｂ            第２板ばね（第２導体部）
１２ｂ１１        接続部（電極）
１２ｂ１２        接続部（電極）
１２ｂ２１        接続部（電極）
１２ｂ２２        接続部（電極）
１３              レンズホルダ
１３ａ            フォーカス用コイル（第１のコイル）
１３ｂ            フォーカス位置検出部
１４              フォーカス用マグネット（第１の磁石）
１５              ムービングベース
１５ａ            補助磁石（補助部材）
１６              サスペンションワイヤ（支持部材）
１７              振れ補正用コイル
１８              下側板ばね
１９              振れ補正用マグネット
２０              ベース
２１              導電性平板
２２              導電材
３０              レンズ駆動装置
３１              第１駆動部
３２              可動部
３３              第２駆動部
【図１】
2016180836.tif 000003
【図２】
2016180836.tif 000004
【図３】
2016180836.tif 000005
【図４】
2016180836.tif 000006
【図５】
2016180836.tif 000007
【図６】
2016180836.tif 000008
【図７】
2016180836.tif 000009
【図８】
2016180836.tif 000010
【図９】
2016180836.tif 000011
【図１０】
2016180836.tif 000012
【図１１】
2016180836.tif 000013
【図１２】
2016180836.tif 000014